(57)【要約】      （修正有）【課題】製品を収納した段ボール等からなる配送用梱包箱を宅配する際の、該梱包箱中の空きスペースを利用した広告方法を提供する。【解決手段】梱包箱１中の空きスペースに、製品３とは別の製品のサンプルや広告媒体４を同封することにより、通常無駄な空間を有効利用することができる広告宣伝手法。【選択図】図１
2007304320.tif 000002
【特許請求の範囲】
【請求項１】
顧客から注文された製品を梱包資材に収納して配送する際に、該梱包資材と納品する製品との間の空きスペースに前記製品とは別の製品の広告媒体やサンプルを同封する広告宣伝方法。
【請求項２】
梱包資材が箱状である請求項１に記載の広告宣伝方法。
【請求項３】
サンプルや広告媒体が、顧客から注文された製品と関連した分野の製品に関するものである請求項１に記載の広告宣伝方法。
【請求項４】
広告媒体が紙媒体または電子媒体である請求項１に記載の広告宣伝方法。
【請求項５】
サンプルが消耗品または試薬である請求項１に記載の広告宣伝方法。
【請求項６】
製品、広告もしくはサンプルがバイオ関連のものである請求項４及び５に記載の広告宣伝方法。
【請求項７】
製品が、顧客からの指示に応じて製造されるオリゴヌクレオチド、ポリヌクレオチド、ポリペプチドまたはそれらの関連化合物である請求項６に記載の広告宣伝方法。
【発明の詳細な説明】
【技術分野】
【０００１】
本発明は、製品を収納した段ボール等からなる配送用梱包箱を宅配する際に、該梱包箱中の空きスペースに前記製品とは別の製品のサンプルや広告媒体を同封することによる広告宣伝方法に関するものである。
【背景技術】
【０００２】
通常、企業において製品を購入者に納品する場合には、提携する宅配便業者に宅配を委託する場合が多く、その際には宅配便業者指定の包装用資材が利用されている。
この包装用資材としては、宅配便業者により段ボール等からなる箱状のものや、表面に撥水加工を施した袋状のもの等が複数サイズ用意され、配送物の寸法形状に対応できるようになっているが、特に壊れやすい製品を配送する場合には、中身を保護する目的で箱状の包装用資材を使用することが好ましい。
【０００３】
しかし、箱状の業者指定の配送用梱包箱は、一番小さなサイズのものでも幅が30cm(参考として、ヤマト運輸株式会社の提供する配送用梱包箱の中で一番小さなもの（クロネコボックス（６））は20×27×13cm、日本通運株式会社の提供する配送用梱包箱の中で一番小さなもの（ペリカンボックス（A式））は40×29×22cmである。)程度の大きさがあるので、中に収納する製品がごく小さいものであれば当然、箱と製品の間に空間が生じる。この空間には、配送中に商品が梱包箱内で移動して破損することのないように緩衝梱包材等を充填する場合もあるが、特には目的のない無駄な空間となっている。
【０００４】
配送用梱包箱に付加価値をつけた技術として、特許文献１（特開平８−２７２２９９号公報）や特許文献２（特開２００２−１２３２０５号公報）及び特許文献３（特開２００４−２５２２１５号公報）には配送用梱包容器に広告表示部を設けた広告宣伝媒体が開示されている。しかし、これらは箱状の梱包容器の側面、上面（上蓋）或いは内面に別の商品やサービスの広告を直接印刷して表示することで、メッセージが包装箱を受け取った購入者の目に入りやすくしたものであり、この空間を有効利用したものではない。
【０００５】
【特許文献１】特開平８−２７２２９９号公報
【特許文献２】特開２００２−１２３２０５号公報
【特許文献３】特開２００４−２５２２１５号公報
【発明の開示】
【発明が解決しようとする課題】
【０００６】
本発明は、このように配送用梱包箱にごく小さな製品を収納する場合に生じる無駄な空間を広告宣伝に利用しようとするものである。
【課題を解決するための手段】
【０００７】
本発明は、製品を収納した段ボール等からなる配送用梱包箱を宅配する際に、該梱包箱中の空きスペースに前記製品とは別の製品のサンプルや広告媒体を収納する広告宣伝方法に関するものである。
なお、ここで言う別の製品のサンプルや広告媒体としては、購入者の興味を引きやすくするため、購入した製品と関連した分野の製品のサンプルや広告媒体である事が好ましい。
【０００８】
すなわち、本発明は以下の構成からなる。
１．顧客から注文された製品を梱包資材に収納して配送する際に、該梱包資材と納品する製品との間の空きスペースに前記製品とは別の製品の広告媒体やサンプルを同封する広告宣伝方法。
２．梱包資材が箱状である前記１に記載の広告宣伝方法。
３．サンプルや広告媒体が、顧客から注文された製品と関連した分野の製品に関するものである前記１に記載の広告宣伝方法。
４．広告媒体が紙媒体または電子媒体である前記１に記載の広告宣伝方法。
５．サンプルが消耗品または試薬である前記１に記載の広告宣伝方法。
６．製品または広告もしくはサンプルがバイオ関連のものである前記４及び５に記載の広告宣伝方法。
７．製品が、顧客からの指示に応じて製造されるオリゴヌクレオチド、ポリヌクレオチドもしくはポリペプチドまたはそれらの関連化合物である前記６に記載の広告宣伝方法。
【発明の効果】
【０００９】
以上のように、本発明は、通常無駄な空間を有効に利用した広告宣伝手法である。
配送用梱包箱は折り畳んで廃棄する事が多く、その際は中に入っているものは全て取り出して折り畳むので、箱から製品を取り出す際には、中に収納されている広告やサンプル等は製品の購入者の目に確実に入ることになり、宣伝効果が高い。
【発明を実施するための最良の形態】
【００１０】
本発明の広告宣伝方法について、ＤＮＡ受託合成における納品を例に挙げて詳しく説明する。
オリゴヌクレオチド（ＤＮＡ）やペプチド等の受託合成を請け負うバイオ関連の企業に於いて、注文を受けて合成した製品を客先に納品する場合には、まず合成したオリゴヌクレオチドやペプチド等の製品をＰＣＲ（Polymerase Chain Reaction：合成酵素連鎖反応）チューブ（エッペンドルフ社製など）に封入し、該ヌクレオチドチューブを小箱（ストックボックス）に収め、更にそのストックボックスを宅配便業者指定の配送用梱包箱に収納して、宅配便業者に配送を依頼している。
このストックボックスも複数のサイズが用意されており、納品するヌクレオチドチューブの本数により適宜選択することができる。
【００１１】
しかし、ヌクレオチドチューブ自体は非常に小さいものであるため、当然ストックボックスもさほど大きなものではなく、例えば、縦6.5cm、横9.5cm、奥行き5.2cm程度〜縦12.5cm、横18.3cm、奥行き5.2cm程度のものである。
これに比べて、配送業者指定の配送用梱包箱は、一番小さなサイズのものでも幅が３０ｃｍ弱(参考として、ヤマト運輸株式会社の提供する配送用梱包箱の中で一番小さなもの（クロネコボックス（６））は20×27×13cm、日本通運株式会社の提供する配送用梱包箱の中で一番小さなもの（ペリカンボックス（A式））は40×29×22cmである。)程度の大きさがあるので当然、梱包箱内にストックボックスを収納した場合、梱包箱とストックボックスとの間には大きな空間が生じる。この空間には、配送中に合成品を収納したストックボックスが梱包箱内で移動して破損することのないように緩衝梱包材等を充填する場合もあるが、特には目的のない無駄な空間となっている。
【００１２】
本発明は、図１に示すように、この配送用梱包箱（１）内の空きスペースに、納品する製品（３）（図１ではストックボックス（２）内に複数の製品（３）を収納しているが、単一の製品でもよい。）と関連する分野の広告やサンプル等（４）を収納して宣伝広告媒体とする広告宣伝方法に関する。
【００１３】
具体的には、該配送用梱包箱の空きスペースに収納する広告としては、チラシ、パンフレット、カタログ、カード等の紙媒体のものでもよいし、ＣＤ−ＲＯＭやＤＶＤ−ＲＯＭなどの電子媒体のものでもよい。また、梱包緩衝剤の代わりにもなるような形状のものでもよい。
【００１４】
前記広告関係の他に、該配送用梱包箱の空きスペースに収納できるものとしては、サンプルとして消耗品（例えば、チップ、チューブ、培養系製品、ピペット、試薬ビン等）、試薬（粉状のもの、液体状のもの、固体状のもの、及びそれらをドライアイスや保冷剤で冷却したもの）が挙げられる。また、納品する製品、前記サンプルや広告その他についてのアンケート等、顧客からのフィードバックを求める文書も含まれる。
また、広告宣伝のために企業等が自社のブランドや商品名を記して無償で配布するノベルティグッズ（メモ用紙やボールペン等）や書籍、刊行物を収納しても良い。
【００１５】
なお、これらの広告やサンプル等は、購入者にとっては関心のない分野の製品の広告やサンプルであっても意味がないばかりか、見ることなく捨てられる事が予想されるので、購入した製品に関連する製品のサンプルや広告である事が好ましい。
【００１６】
これらの広告及び収納物はそのまま梱包箱の空きスペースに収納しても良いし、透明で中身が見えるポリ袋などに入れてから収納してもよい。また、配送中に梱包箱内に中身が出てしまわないように、このポリ袋は口に開閉自由なチャックが付いていてもよい。
【００１７】
また、図２に示すように、購入者が配送用梱包箱の外面、または配送用梱包箱の内面の開けた時に目に留まりやすい場所に文字、図形、記号、絵柄等からなる広告やメッセージを直接印刷したり、サンプル依頼のダイレクトメール、注文用紙等（図２中、（５）で示す。）を貼り付けても良い。
【００１８】
また、宅配の都合上、包装資材としては箱状のものを使用するのが好ましいと述べたが、袋状の包装資材を用いる場合も同様に、ストックボックスとの空きスペースにこれらの広告やサンプルを封入することができる。
【００１９】
なお、ストックボックス及び広告またはサンプル等を包装資材に詰める場合には、これらが配送中に梱包箱内で破損することのないように空気充填緩衝梱包材や発泡シート製等の緩衝梱包材を使用してもよいが、特に使用しなくても構わない。
【００２０】
更に、本発明の広告宣伝方法に関連した方法として、例えば図３に示すように、特定のバイオ関係のＷＥＢサイトに広告を掲載し、ある一定の期間内にＤＮＡ受託合成を注文があった顧客には、納品時にサンプルを同封して進呈する旨をサイト上で告知しておくことにより販売促進に繋がる可能性がある。
【００２１】
更に、無作為に選んだ顧客に対し、ヌクレオチドチューブを収納するストックボックスについて、通常の色とは異なる色のストックボックスを使用し（例えば、通常のストックボックスが白色ならば、青色にするなど）、色に応じた特典を設定するといった、いわば当たりくじのようなものを設定して、企業の宣伝とすることもできる。
【実施例】
【００２２】
以下、本発明の実施態様を実施例により具体的に説明するが、本発明は、基本的には上述した態様すべてに及ぶものであって、以下の態様に限定されるものではない。
【００２３】
実施例１：
本実施例では、サンプルをストックボックスの支持部材として利用しつつ提供する態様を示す。
図４に示すように、納品する製品は、ストックボックス（２）内に収納され、ストックボックス（２）は梱包材（この例では蛇腹状の厚紙）（６）に設けた開口部に嵌め込まれて固定されている。蛇腹状の厚紙（６）には部分的に切り込みが設けられており、サンプル（４）はこの切り込み部分に収納される。
製品が搬送される際、梱包箱（１）は種々の衝撃を受けることがあるが、蛇腹状の厚紙（６）の伸縮により衝撃は緩和される。また、蛇腹状の厚紙（６）は横方向の圧力に対する支持力が弱いが、製品（ストックボックス）（２）とサンプル（４）が収納されることにより、横方向の負荷に対する耐久度が改善し箱潰れ等が生じることがない。
この結果、サンプルの提供と製品の安定した搬送が同時に実現されている。なお、図では、サンプルとして管状部材を示したが、箱、ＣＤ−ＲＯＭもしくはＤＶＤ−ＲＯＭまたはそのケース、冊子等としてもよい。
【００２４】
実施例２：
本実施例は、図５に示すような特定のＷＥＢサイトとの広告と関連させて本発明を実施した態様を示す。
受注者は、特定のＷＥＢサイトにおける受注者の広告または受注者のＷＥＢサイトにおいて、サンプルを提供する旨を掲載する。その際、サンプルの種類が複数ある場合には、それぞれの説明とともに、各サンプルに適当な識別符号を付す。
【００２５】
顧客（発注者）は、受注者に注文する際に、注文書に前記に最も関心のあるサンプルの識別符号を付記する。ＷＥＢサイトで受注する場合には、注文用フォームに選択可能はチェックボックス等を設けて顧客（発注者）からの注文を受けることも可能である。サンプルが単一の場合は顧客（発注者）にその要否を記載させてもよい。
受注者は、顧客（発注者）の指示に従ってサンプルを同封し製品を送付する。サンプルの同封方法は実施例１と同様でもよいし、単に箱に入れ製品と同梱してもよい。また、サンプルとともにアンケート用紙等を入れてもよい。
【００２６】
アンケート用紙は、通常の方法、例えば、記入済み用紙のＦＡＸや郵便による返送、人的な回収により行なうことができる。特に人的な回収では高い効果を挙げることができる。また、受注者がＷＥＢサイトを有する場合は、顧客（発注者）からの次回の発注の際、その顧客（発注者）に以前に送付したサンプルを顧客データベースから検索し、そのサンプルについてのアンケートを提示してもよい。
この方法により、受注者は顧客に適したサンプルを送付することができるだけでなく、サンプルや製品についてのフィードバックをより確実に得ることができる。
【産業上の利用可能性】
【００２７】
本発明によれば、配送用梱包箱内の通常無駄な空間を宣伝効果の高い広告手段として有効に利用することができる。
【図面の簡単な説明】
【００２８】
【図１】本発明の広告宣伝方法の第１の実施形態例を示す斜視図である。
【図２】本発明の広告宣伝方法の第２の実施形態例を示す斜視図である。
【図３】ＷＥＢサイトによる宣伝と、本発明の広告宣伝方法を関連させた実施形態例を示す図である。
【図４】実施例１の態様を示す斜視図である（梱包箱の側面を除いて示す）。
【図５】実施例２の態様を示す図である。
【符号の説明】
【００２９】
１  配送用梱包箱
２  ストックボックス
３  チューブ
４  収納物（広告、サンプル等）
５  貼付表（広告、注文票等）
６  梱包材
【図１】
2007304320.tif 000003
【図２】
2007304320.tif 000004
【図３】
2007304320.tif 000005
【図４】
2007304320.tif 000006
【図５】
2007304320.tif 000007